(57)【要約】      （修正有）【課題】傾倒防止の漢方薬タンスを提供する。【解決手段】傾倒防止の漢方薬タンスで、壁の中に固定に取り付けられる組立軸組６を含み、前記組立軸組に伝導筐体６２が設置され、前記伝導筐体の底部に前側に拡張し設置される第一滑り溝６１が設置され、前記第一滑り溝の前側拡張末端は前記組立軸組の前側端面を貫通し、前記第一滑り溝に保管軸６１１が摺動可能に結合し接続され、前記保管軸の底部端面にラック６１２が設置される。【選択図】図１
2019130270.tif 000002
【特許請求の範囲】
【請求項１】
傾倒防止の漢方薬タンスであって、壁の中に固定的に取り付けられる組立軸組を含み、前記組立軸組に伝導筐体が設置され、前記伝導筐体の底部に前側に拡張し設置される第一滑り溝が設置され、前記第一滑り溝の前側拡張末端は前記組立軸組の前側端面を貫通し、前記第一滑り溝に保管軸が摺動可能に結合し接続され、前記保管軸の底部端面にラックが設置され、前記伝導筐体に前後に拡張し設置される第一ねじ軸が設置され、前記第一ねじ軸に伝導ブロックがねじで結合し接続され、前記伝導ブロックの底部末端は前記保管軸と固定に結合し接続され、前記第一ねじ軸の後側拡張末端は前記伝導筐体の後側内壁と回転可能に結合し接続され、前記第一ねじ軸の前側末端は第一電気ローラーと動力に結合し接続され、前記第一電気ローラーの外表面は前記伝導筐体の前側内壁に設置されてそれと固定的に接続し、前記組立軸組の前側に後側端面が前記保管軸の前側末端と固定的に接続されるロック部分が設置され、前記ロック部分の上下両側の後側端面に通溝が相対に設置され、前記通溝に後側に拡張し設置されるロック軸が摺動可能に結合し接続され、前記ロック軸の後側拡張末端は前記組立軸組の前側端面と固定に結合し接続され、前記ロック軸の前側端面に第二送電部が設置され、前記通溝の前側の前記ロック部分の前側端面に前記通溝と通信に設置されるフルートが設置され、前記フルートの内底壁に突起部が固定的に設置され、前記タンスの左右端面に持上台が対応に設置され、前記タンスに合板が固定的に設置され、前記合板が前記タンスと離れる一側に上下に対応しロックブロックが設置され、前記ロックブロックの底部端面に前記突起部と結合し接続されるロック溝が設置され、前記ロックブロックの上側の前記合板に第一送電部が固定的に設置され、前記第一滑り溝の下側の前記組立軸組の内壁体に前記保管軸と動力に結合し接続される送電装置が設置されることを特徴とする傾倒防止の漢方薬タンス。
【発明の詳細な説明】
【技術分野】
【０００１】
本発明は漢方薬タンス技術分野に関し、具体的には傾倒防止の漢方薬タンスに関する。
【背景技術】
【０００２】
便利に使うため、現在の一般的な漢方薬タンスの底面面積が小さく高さが高く傾倒しやすい。また、商用電源を接続する必要があり、操作が繁雑である。
【先行技術文献】
【特許文献】
【０００３】
【特許文献１】中国実用新案第205144005号明細書
【特許文献２】中国特許出願公開第104605631号明細書
【発明の概要】
【発明が解決しようとする課題】
【０００４】
本発明の目的は傾倒防止の漢方薬タンスを提供し、既存の技術の中の上記の欠陥を克服することにある。
【０００５】
傾倒防止の漢方薬タンスは壁の中に固定に取り付けられる組立軸組を含み、前記組立軸組に伝導筐体が設置され、前記伝導筐体の底部に前側に拡張し設置される第一滑り溝が設置され、前記第一滑り溝の前側拡張末端は前記組立軸組の前側端面を貫通し、前記第一滑り溝に保管軸が摺動可能に結合し接続され、前記保管軸の底部端面にラックが設置され、前記伝導筐体に前後に拡張し設置される第一ねじ軸が設置され、前記第一ねじ軸に伝導ブロックがねじで結合し接続され、前記伝導ブロックの底部末端は前記保管軸と固定に結合し接続され、前記第一ねじ軸の後側拡張末端は前記伝導筐体の後側内壁と回転可能に結合し接続され、前記第一ねじ軸の前側末端は第一電気ローラーと動力に結合し接続され、前記第一電気ローラーの外表面は前記伝導筐体の前側内壁に設置されてそれと固定的に接続し、前記組立軸組の前側に後側端面が前記保管軸の前側末端と固定的に接続されるロック部分が設置され、前記ロック部分の上下両側の後側端面に通溝が相対に設置され、前記通溝に後側に拡張し設置されるロック軸が摺動可能に結合し接続され、前記ロック軸の後側拡張末端は前記組立軸組の前側端面と固定に結合し接続され、前記ロック軸の前側端面に第二送電部が設置され、前記通溝の前側の前記ロック部分の前側端面に前記通溝と通信に設置されるフルートが設置され、前記フルートの内底壁に突起部が固定的に設置され、前記タンスの左右端面に持上台が対応に設置され、前記タンスに合板が固定的に設置され、前記合板が前記タンスと離れる一側に上下に対応しロックブロックが設置され、前記ロックブロックの底部端面に前記突起部と結合し接続されるロック溝が設置され、前記ロックブロックの上側の前記合板に第一送電部が固定的に設置され、前記第一滑り溝の下側の前記組立軸組の内壁体に前記保管軸と動力に結合し接続される送電装置が設置される。
【０００６】
好ましい技術方案は前記送電装置は前記第一滑り溝の内底壁に設置される空洞溝と前記空洞溝の右側の前記組立軸組に設置されるガイド筐体を含み、前記空洞溝が前記ガイド筐体の間に左右に拡張し設置される第一スイベルアームが回転可能に結合し接続され、前記第一スイベルアームの左側拡張末端が前記空洞溝を通り抜けて末端に頂部端が前記ラックと結合し接続されるギアが固定的に設置され、前記第一スイベルアームの右側拡張末端が前記ガイド筐体を通り抜けて末端に第一角錐輪が固定的に設置され、前記第一角錐輪の右側の前記ガイド筐体に第二スイベルアームが回転可能に結合し接続され、前記第二スイベルアームの上端に前記第一角錐輪と結合し接続される第二角錐輪が固定的に設置され、前記ガイド筐体の前後の両側に第二滑り溝が設置され、前記第二滑り溝の中に前記第二スイベルアームと動力し結合し接続される第二ねじ軸が設置され、前記第二ねじ軸に前記第二滑り溝と摺動可能に結合し接続される滑り板がねじで結合し接続され、前記滑り板が前記ガイド筐体に接近する一側の端面に送電ブロックが固定的に設置され、前記送電ブロックの相対的な前記第二滑り溝の内壁に送電口が設置される。
【０００７】
好ましい技術方案は前記送電ブロックが前記第二送電部と電気接続する。
【０００８】
好ましい技術方案は前後の両側の前記第二滑り溝の第二ねじ軸がねじで逆に設置される。
【発明の効果】
【０００９】
本発明は、構造が簡単で、操作が便利で、漢方薬タンスをしっかり壁にロックでき、傾倒を防止し、速い分解と組立の作業を実現でき、後期のメンテナンスと点検修理に便利である。それと同時に、自動的に電力供給接続作業を制御し、操作のステップを減らして、電力供給接続安全性を高める。
【図面の簡単な説明】
【００１０】
【図１】図１は本発明の組立軸組の全体の構造概略図である。
【図２】図２は本発明のタンスの全体の構造概略図である。
【図３】図３は本発明の送電装置の内部構造概略図である。
【図４】図４は本発明のタンスの左視構造概略図である。
【発明を実施するための形態】
【００１１】
下記に図１−図４を交え本発明を詳しく説明する。
【００１２】
図１−図４を参照し、本発明の実施例の傾倒防止の漢方薬タンスによって、壁の中に固定に取り付けられる組立軸組6を含み、前記組立軸組6に伝導筐体62が設置され、前記伝導筐体62の底部に前側に拡張し設置される第一滑り溝61が設置され、前記第一滑り溝61の前側拡張末端は前記組立軸組6の前側端面を貫通し、前記第一滑り溝61に保管軸611が摺動可能に結合し接続され、前記保管軸611の底部端面にラック612が設置され、前記伝導筐体62に前後に拡張し設置される第一ねじ軸621が設置され、前記第一ねじ軸621に伝導ブロック622がねじで結合し接続され、前記伝導ブロック622の底部末端は前記保管軸611と固定に結合し接続され、前記第一ねじ軸621の後側拡張末端は前記伝導筐体62の後側内壁と回転可能に結合し接続され、前記第一ねじ軸621の前側末端は第一電気ローラー623と動力に結合し接続され、前記第一電気ローラー623の外表面は前記伝導筐体62の前側内壁に設置されてそれと固定的に接続し、前記組立軸組6の前側に後側端面が前記保管軸611の前側末端と固定的に接続されるロック部分65が設置され、前記ロック部分65の上下両側の後側端面に通溝651が相対に設置され、前記通溝651に後側に拡張し設置されるロック軸64が摺動可能に結合し接続され、前記ロック軸64の後側拡張末端は前記組立軸組6の前側端面と固定に結合し接続され、前記ロック軸64の前側端面に第二送電部641が設置され、前記通溝651の前側の前記ロック部分65の前側端面に前記通溝651と通信に設置されるフルート652が設置され、前記フルート652の内底壁に突起部653が固定的に設置され、前記タンス7の左右端面に持上台74が対応に設置され、前記タンス7に合板71が固定的に設置され、前記合板71が前記タンス7と離れる一側に上下に対応しロックブロック72が設置され、前記ロックブロック72の底部端面に前記突起部653と結合し接続されるロック溝721が設置され、前記ロックブロック72の上側の前記合板71に第一送電部73が固定的に設置され、前記第一滑り溝61の下側の前記組立軸組6の内壁体に前記保管軸611と動力に結合し接続される送電装置が設置される。
【００１３】
有益な実施例として、前記送電装置は前記第一滑り溝61の内底壁に設置される空洞溝63と前記空洞溝63の右側の前記組立軸組6に設置されるガイド筐体66を含み、前記空洞溝63が前記ガイド筐体66の間に左右に拡張し設置される第一スイベルアーム663が回転可能に結合し接続され、前記第一スイベルアーム663の左側拡張末端が前記空洞溝63を通り抜けて末端に頂部端が前記ラック612と結合し接続されるギア631が固定的に設置され、前記第一スイベルアーム663の右側拡張末端が前記ガイド筐体66を通り抜けて末端に第一角錐輪664が固定的に設置され、前記第一角錐輪664の右側の前記ガイド筐体66に第二スイベルアーム661が回転可能に結合し接続され、前記第二スイベルアーム661の上端に前記第一角錐輪664と結合し接続される第二角錐輪662が固定的に設置され、前記ガイド筐体66の前後の両側に第二滑り溝67が設置され、前記第二滑り溝67の中に前記第二スイベルアーム661と動力し結合し接続される第二ねじ軸671が設置され、前記第二ねじ軸671に前記第二滑り溝67と摺動可能に結合し接続される滑り板672がねじで結合し接続され、前記滑り板672が前記ガイド筐体66に接近する一側の端面に送電ブロック673が固定的に設置され、前記送電ブロック673の相対的な前記第二滑り溝67の内壁に送電口674が設置され、これにより自動的に電力供給接続作業を制御し、操作のステップを減らして、仕事の効率と安全性を高める。
【００１４】
有益な実施例として前記送電ブロック673が前記第二送電部641と電気的に接続する。
【００１５】
有益な実施例として前後の両側の前記第二滑り溝67の第二ねじ軸671がねじで逆に設置され、これにより自動的に滑り板672の相対或いは向背のスライド作業を制御する。
【００１６】
本発明の有益な効果は、本発明の構造が簡単で、操作が便利で、漢方薬タンスをしっかり壁にロックでき、傾倒を防止し、速い分解と組立の作業を実現でき、後期のメンテナンスと点検修理に便利である。その同時に、自動的に電力供給接続作業を制御し、操作のステップを減らして、電力供給接続安全性を高める。
【００１７】
本分野の技術者は本発明の全体の意義と構想と離れないもとで、以上の実施例に各種の変型を行うことができ、それらは本発明の保護範囲にある。本発明の保護方案は本発明が添付の特許請求の範囲を基準とする。
【図１】
2019130270.tif 000003
【図２】
2019130270.tif 000004
【図３】
2019130270.tif 000005
【図４】
2019130270.tif 000006
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
傾倒防止の漢方薬タンスであって、壁の中に固定的に取り付けられる組立軸組を含み、前記組立軸組に伝導筐体が設置され、前記伝導筐体の底部に前側に延伸し設置される第一滑り溝が設置され、前記第一滑り溝の前側延伸末端は前記組立軸組の前側端面を貫通し、前記第一滑り溝に保管軸が摺動可能に係合し接続され、前記保管軸の底部端面にラックが設置され、前記伝導筐体に前後に延伸し設置される第一ねじ軸が設置され、前記第一ねじ軸に伝導ブロックがねじで係合し接続され、前記伝導ブロックの底部末端は前記保管軸と固定に係合し接続され、前記第一ねじ軸の後側延伸末端は前記伝導筐体の後側内壁と回転可能に係合し接続され、前記第一ねじ軸の前側末端は第一電気ローラーと動力で係合し接続され、前記第一電気ローラーの外表面は前記伝導筐体の前側内壁に設置され且つ前記伝導筐体と固定に接続し、前記組立軸組の前側に後側端面が前記保管軸の前側末端と固定的に接続されるロック部分が設置され、前記ロック部分の上下両側の後側端面に通溝が一対に設置され、前記通溝に後側に延伸し設置されるロック軸が摺動可能に係合し接続され、前記ロック軸の後側延伸末端は前記組立軸組の前側端面と固定に係合し接続され、前記ロック軸の前側端面に第二送電部が設置され、前記通溝の前側の前記ロック部分の前側端面に前記通溝と通信に設置される凹嵌溝が設置され、前記凹嵌溝の内底壁に突起部が固定的に設置され、前記タンスの左右端面に持上台が対応に設置され、前記タンスに合板が固定的に設置され、前記合板が前記タンスと離れる一側に上下に対応しロックブロックが設置され、前記ロックブロックの底部端面に前記突起部と係合し接続されるロック溝が設置され、前記ロックブロックの上側の前記合板に第一送電部が固定的に設置され、前記第一滑り溝の下側の前記組立軸組の内壁体に前記保管軸と動力で係合し接続される送電装置が設置されることを特徴とする傾倒防止の漢方薬タンス（その中に、前記送電装置は前記第一滑り溝の内底壁内に設置される空洞溝と、前記空洞溝の右側の前記組立軸組の内壁体内のガイド筐体とを含み、前記空洞溝と前記ガイド筐体との間に左右延伸の第一スイベルアームが回転し係合接続され、前記第一スイベルアームの左側の延伸末端が前記空洞溝の中に挿入し且つ末端にギアが固設され、前記ギアの頂部端が前記ラックと係合接続され、前記第一スイベルアームの右側の延伸末端が前記ガイド筐体の中に挿入し且つ末端に第一角錐輪が固設され、前記第一角錐輪の右側の前記ガイド筐体の中に第二スイベルアームが回転し係合接続され、前記第二スイベルアームには前記第一角錐輪と係合接続される第二角錐輪が円周方向で固設され、前記ガイド筐体の前後両側には第二滑り溝が一対に設置され、前記第二滑り溝の中には前記第二スイベルアームと動力で係合接続される第二ねじ軸が内設され、前記第二ねじ軸には前記第二滑り溝とスライドし係合接続される滑り板がねじで係合接続され、前記滑り板のうち前記ガイド筐体の片側に接近する端面には送電ブロックが固設され、前記送電ブロックと相対する前記第二滑り溝の内壁に送電口が内設され、前記送電ブロックと前記第二送電部とが電気で接続され、前後両側の前記第二滑り溝の中に位置する前記の第二ねじ軸のネジ山が逆方向で設置される。）。
【手続補正２】
【補正対象書類名】明細書
【補正対象項目名】全文
【補正方法】変更
【補正の内容】
【発明の詳細な説明】
【技術分野】
【０００１】
本発明は漢方薬タンス技術分野に関し、具体的には傾倒防止の漢方薬タンスに関する。
【背景技術】
【０００２】
便利に使うため、現在の一般的な漢方薬タンスの底面面積が小さく高さが高く傾倒しやすい。また、商用電源を接続する必要があり、操作が繁雑である。
【先行技術文献】
【特許文献】
【０００３】
【特許文献１】中国実用新案第205144005号明細書
【特許文献２】中国特許出願公開第104605631号明細書
【発明の概要】
【発明が解決しようとする課題】
【０００４】
本発明の目的は傾倒防止の漢方薬タンスを提供し、既存の技術の中の上記の欠陥を克服することにある。
【０００５】
傾倒防止の漢方薬タンスは壁の中に固定に取り付けられる組立軸組を含み、前記組立軸組に伝導筐体が設置され、前記伝導筐体の底部に前側に延伸し設置される第一滑り溝が設置され、前記第一滑り溝の前側延伸末端は前記組立軸組の前側端面を貫通し、前記第一滑り溝に保管軸が摺動可能に係合し接続され、前記保管軸の底部端面にラックが設置され、前記伝導筐体に前後に延伸し設置される第一ねじ軸が設置され、前記第一ねじ軸に伝導ブロックがねじで係合し接続され、前記伝導ブロックの底部末端は前記保管軸と固定に係合し接続され、前記第一ねじ軸の後側延伸末端は前記伝導筐体の後側内壁と回転可能に係合し接続され、前記第一ねじ軸の前側末端は第一電気ローラーと動力で係合し接続され、前記第一電気ローラーの外表面は前記伝導筐体の前側内壁に設置され且つ前記伝導筐体と固定に接続し、前記組立軸組の前側に後側端面が前記保管軸の前側末端と固定的に接続されるロック部分が設置され、前記ロック部分の上下両側の後側端面に通溝が一対に設置され、前記通溝に後側に延伸し設置されるロック軸が摺動可能に係合し接続され、前記ロック軸の後側延伸末端は前記組立軸組の前側端面と固定に係合し接続され、前記ロック軸の前側端面に第二送電部が設置され、前記通溝の前側の前記ロック部分の前側端面に前記通溝と通信に設置される凹嵌溝が設置され、前記凹嵌溝の内底壁に突起部が固定的に設置され、前記タンスの左右端面に持上台が対応に設置され、前記タンスに合板が固定的に設置され、前記合板が前記タンスと離れる一側に上下に対応しロックブロックが設置され、前記ロックブロックの底部端面に前記突起部と係合し接続されるロック溝が設置され、前記ロックブロックの上側の前記合板に第一送電部が固定的に設置され、前記第一滑り溝の下側の前記組立軸組の内壁体に前記保管軸と動力で係合し接続される送電装置が設置される。
【０００６】
好ましい技術方案は前記送電装置は前記第一滑り溝の内底壁に設置される空洞溝と前記空洞溝の右側の前記組立軸組に設置されるガイド筐体を含み、前記空洞溝が前記ガイド筐体の間に左右に延伸し設置される第一スイベルアームが回転可能に係合し接続され、前記第一スイベルアームの左側延伸末端が前記空洞溝を通り抜けて末端に頂部端が前記ラックと係合し接続されるギアが固定的に設置され、前記第一スイベルアームの右側延伸末端が前記ガイド筐体を通り抜けて末端に第一角錐輪が固定的に設置され、前記第一角錐輪の右側の前記ガイド筐体に第二スイベルアームが回転可能に係合し接続され、前記第二スイベルアームの上端に前記第一角錐輪と係合し接続される第二角錐輪が固定的に設置され、前記ガイド筐体の前後の両側に第二滑り溝が設置され、前記第二滑り溝の中に前記第二スイベルアームと動力し係合し接続される第二ねじ軸が設置され、前記第二ねじ軸に前記第二滑り溝と摺動可能に係合し接続される滑り板がねじで係合し接続され、前記滑り板が前記ガイド筐体に接近する一側の端面に送電ブロックが固定的に設置され、前記送電ブロックの相対的な前記第二滑り溝の内壁に送電口が設置される。
【０００７】
好ましい技術方案は前記送電ブロックが前記第二送電部と電気接続する。
【０００８】
好ましい技術方案は前後の両側の前記第二滑り溝の第二ねじ軸がねじで逆に設置される。
【発明の効果】
【０００９】
本発明は、構造が簡単で、操作が便利で、漢方薬タンスをしっかり壁にロックでき、傾倒を防止し、速い分解と組立の作業を実現でき、後期のメンテナンスと点検修理に便利である。それと同時に、自動的に電力供給接続作業を制御し、操作のステップを減らして、電力供給接続安全性を高める。
【図面の簡単な説明】
【００１０】
【図１】図１は本発明の組立軸組の全体の構造概略図である。
【図２】図２は本発明のタンスの全体の構造概略図である。
【図３】図３は本発明の送電装置の内部構造概略図である。
【図４】図４は本発明のタンスの左視構造概略図である。
【発明を実施するための形態】
【００１１】
下記に図１−図４を交え本発明を詳しく説明する。
【００１２】
図１−図４を参照し、本発明の実施例の傾倒防止の漢方薬タンスによって、壁の中に固定に取り付けられる組立軸組6を含み、前記組立軸組6に伝導筐体62が設置され、前記伝導筐体62の底部に前側に延伸し設置される第一滑り溝61が設置され、前記第一滑り溝61の前側延伸末端は前記組立軸組6の前側端面を貫通し、前記第一滑り溝61に保管軸611が摺動可能に係合し接続され、前記保管軸611の底部端面にラック612が設置され、前記伝導筐体62に前後に延伸し設置される第一ねじ軸621が設置され、前記第一ねじ軸621に伝導ブロック622がねじで係合し接続され、前記伝導ブロック622の底部末端は前記保管軸611と固定に係合し接続され、前記第一ねじ軸621の後側延伸末端は前記伝導筐体62の後側内壁と回転可能に係合し接続され、前記第一ねじ軸621の前側末端は第一電気ローラー623と動力で係合し接続され、前記第一電気ローラー623の外表面は前記伝導筐体62の前側内壁に設置され且つ前記伝導筐体62と固定に接続し、前記組立軸組6の前側に後側端面が前記保管軸611の前側末端と固定的に接続されるロック部分65が設置され、前記ロック部分65の上下両側の後側端面に通溝651が一対に設置され、前記通溝651に後側に延伸し設置されるロック軸64が摺動可能に係合し接続され、前記ロック軸64の後側延伸末端は前記組立軸組6の前側端面と固定に係合し接続され、前記ロック軸64の前側端面に第二送電部641が設置され、前記通溝651の前側の前記ロック部分65の前側端面に前記通溝651と通信に設置される凹嵌溝652が設置され、前記凹嵌溝652の内底壁に突起部653が固定的に設置され、前記タンス7の左右端面に持上台74が対応に設置され、前記タンス7に合板71が固定的に設置され、前記合板71が前記タンス7と離れる一側に上下に対応しロックブロック72が設置され、前記ロックブロック72の底部端面に前記突起部653と係合し接続されるロック溝721が設置され、前記ロックブロック72の上側の前記合板71に第一送電部73が固定的に設置され、前記第一滑り溝61の下側の前記組立軸組6の内壁体に前記保管軸611と動力で係合し接続される送電装置が設置される。
【００１３】
有益な実施例として、前記送電装置は前記第一滑り溝61の内底壁に設置される空洞溝63と前記空洞溝63の右側の前記組立軸組6に設置されるガイド筐体66を含み、前記空洞溝63が前記ガイド筐体66の間に左右に延伸し設置される第一スイベルアーム663が回転可能に係合し接続され、前記第一スイベルアーム663の左側延伸末端が前記空洞溝63を通り抜けて末端に頂部端が前記ラック612と係合し接続されるギア631が固定的に設置され、前記第一スイベルアーム663の右側延伸末端が前記ガイド筐体66を通り抜けて末端に第一角錐輪664が固定的に設置され、前記第一角錐輪664の右側の前記ガイド筐体66に第二スイベルアーム661が回転可能に係合し接続され、前記第二スイベルアーム661の上端に前記第一角錐輪664と係合し接続される第二角錐輪662が固定的に設置され、前記ガイド筐体66の前後の両側に第二滑り溝67が設置され、前記第二滑り溝67の中に前記第二スイベルアーム661と動力し係合し接続される第二ねじ軸671が設置され、前記第二ねじ軸671に前記第二滑り溝67と摺動可能に係合し接続される滑り板672がねじで係合し接続され、前記滑り板672が前記ガイド筐体66に接近する一側の端面に送電ブロック673が固定的に設置され、前記送電ブロック673の相対的な前記第二滑り溝67の内壁に送電口674が設置され、これにより自動的に電力供給接続作業を制御し、操作のステップを減らして、仕事の効率と安全性を高める。
【００１４】
有益な実施例として前記送電ブロック673が前記第二送電部641と電気的に接続する。
【００１５】
有益な実施例として前後の両側の前記第二滑り溝67の第二ねじ軸671がねじで逆に設置され、これにより自動的に滑り板672の相対或いは向背のスライド作業を制御する。
【００１６】
初期状態にある時、伝導ブロック622が伝導筐体62のうち最前側に位置し、同時に、伝導ブロック622によって保管軸611の前側末端を動かして最大程度で第一滑り溝61の外部まで伸びさせ、この時、保管軸611によってロック部分65を動かして最大程度で組立軸組6から遠離させ、同時に、ロック軸64の前側部分と通溝651の後側部分とをスライドし係合接続させ、この時、滑り板672がガイド筐体66の片側から最大程度で遠離している第二滑り溝67の中に位置し、同時に、滑り板672によって送電ブロック673を動かして最大程度で送電口674から遠離させる。
【００１７】
組み立てて使用する時、まずタンス7を組立軸組6の前側に移動し、同時に、タンス7にあるロックブロック72と凹嵌溝652とを相対する位置にさせ、それから組立軸組6の片側へタンス7を移動することによって、ロックブロック72を突起部653の上側の凹嵌溝652の中に挿入させ、ロックブロック72と凹嵌溝652の後側内壁とが当接する時、ロック溝と突起部653とを相対する位置にさせ、それから下へタンス7を移動し、タンス7によってロックブロック72を動かして凹嵌溝652のうち底部方向に沿ってスライドさせ、同時に、突起部653を次第にロック溝721の中に挿入させ、ロックブロック72が凹嵌溝652のうち最底部の位置まで着く時、この時、突起部653をロック溝721の中に完全に挿入させ、同時に、第一送電部73と第二送電部641とを相対する位置にさせ、この時初期のポジションニングを完了して接続作業に協力し、それから、第一電気ローラー623によって第一ねじ軸621を回転させ、第一ねじ軸621が伝導ブロック622を動かして次第に伝導筐体のうち後側方向に沿ってスライドさせ、同時に、伝導ブロック622により保管軸611を第一滑り溝61の中に次第し滑り込ませ、この時、保管軸611の底部のラック612によってギア631を動かして回転させ、その上で更にギア631によって第一スイベルアーム663を通じて第一角錐輪664を回転させ、同時に、第一角錐輪664によって第二角錐輪662と、第二角錐輪662と固定接続される第二スイベルアーム661とを動かして回転させ、この時、第二スイベルアーム661によって第二ねじ軸671を動かして回転させ、同時に、第二ねじ軸671によって滑り板672を動かしてガイド筐体66の片側へ次第にスライドさせ、この時、保管軸611によってロック部分65を動かして組立軸組6の片側へ移動させ、その上で更にロック軸64の前側末端を凹嵌溝652の中に次第に挿入させ、伝導ブロック622が伝導筐体62のうち最も後側のところに着く時、伝導ブロック622が保管軸611を動かして第一滑り溝61の中に完全に挿入させ、同時に、保管軸611によってロック部分65と組立軸組6とを完全に当接させ、この時、ロック軸64の前側末端を最大程度で凹嵌溝652の中に挿入させて第二送電部641と第一送電部73とを最大程度で圧着し係合接続させ、同時に、ロック軸64の底部端面とロックブロック72の頂部端面とを圧着しスライドし係合接続させ、その上で更に安定なロッキングを実現して接続作業に協力し、この時、ギア631によって第二ねじ軸671に配置される滑り板672を動かしてガイド筐体66の片側に接近する第二滑り溝67の中にスライドさせ、同時に、第二滑り溝67に配置される送電ブロック673を送電口674の中に最大程度で挿入させ、その上で更に給電接続作業を自動的に制御することを実現する。
【００１８】
本発明の有益な効果は、本発明の構造が簡単で、操作が便利で、漢方薬タンスをしっかり壁にロックでき、傾倒を防止し、速い分解と組立の作業を実現でき、後期のメンテナンスと点検修理に便利である。その同時に、自動的に電力供給接続作業を制御し、操作のステップを減らして、電力供給接続安全性を高める。
【００１９】
本分野の技術者は本発明の全体の意義と構想と離れないもとで、以上の実施例に各種の変型を行うことができ、それらは本発明の保護範囲にある。本発明の保護方案は本発明が添付の特許請求の範囲を基準とする。